(57)【要約】      （修正有）【課題】浴槽の底に足を伸ばして座ることができ、かつ独力で立ち上がることを容易にする改良型浮き座椅子付浴槽を提供する。【解決手段】入浴者が座る座板部分に浮板を使用し、その浮力を利用して入浴者の腰を持ち上げて膝の位置を高くし、立ち上がり動作を容易にする。また、浴槽の側壁に密着させて浮板を誘導する支柱を立て、浮板の左右の縁に入れた切り込み部分と組み合わせて浮板を誘導し、昇降状態を安定させる。浮き上がった浮板を固定するために、昇降用支柱の頂点と肘掛棚の間に浮板が移動できるだけの隙間をあけ、入浴者が後方へ約３０ミリメートル押し込むことによって、浮板は昇降支柱の頂点と後方壁の段差と肘掛棚の三方から固定され、入浴者が立とうとして腰回りに力を入れても沈まないので、立ち上がり動作が安定して容易になる。【選択図】図１
0003161059.tif 000002
【実用新案登録請求の範囲】
【請求項１】
本考案は、座板として使用する浮板の浮力を利用して入浴者の腰を持ち上げ、浮き上がった浮板を沈まないように固定して、足腰に障害のある入浴者でも立ち上がり易くした改良型浮き座椅子付浴槽で、浮板は幅約５００ミリメートル、奥行約４００ミリメートル、厚さ約４０ミリメートルの化学合成品または天然材でもよく、浮板の左右の縁に昇降用支柱と組み合わせるための切り込みを入れ、浴槽の幅を前半部分よりも後半部分を左右各約４０ミリメートル広くし、入浴者が浴槽の中に座った時に肘をおける高さに相当する底から約３００ミリメートルの位置に、底に平行して横に長く、かつ後半部分の側壁に沿って後方壁に達する長さで、幅は後半部分の側壁を広げた部分に相当する約４０ミリメートル、厚さ約１０ミリメートルの肘掛棚を左右に造って浮板の過度の浮き上がりを防ぐストッパー兼用とし、浮板の昇降状態を安定させて誘導する浮板の昇降支柱として、入浴者の背中に当たる背後の壁から約２００ミリメートル離れた位置の側壁に密着し、かつ凸型に突き出すような形状の太さが一辺約３０ミリメートル、底からの高さが約２６０ミリメートルの支柱を立ち上げ、支柱の頂点と肘掛棚との間を浮板が移動できるように約４０ミリメートルの隙間をあけ、入浴者の背中が当たる後方の壁にも奥行約３０ミリメートルの棚受状の段差を支柱の頂点と同じ高さの位置につけ、昇降支柱に誘導されて浮き上がった浮板を入浴者が後方へ約３０ミリメートル押し込んで平行移動させると、浮板の切り込み部分が支柱から外れ、支柱の頂点と後方壁の段差と肘掛棚の三方から挟まれて固定され、入浴者が立ち上がろうとして腰回りに力を入れても浮板は沈まず、入浴者が座って浮板を前に引き出すと浮板の固定状態が解除されて昇降支柱に沿って下降し、また浮板が浮き上がって立つ時は浮板を固定できるので、足腰に障害のある入浴者でも安心して使用できる改良型浮き座椅子付浴槽。
【考案の詳細な説明】
【技術分野】
【０００１】  怪我や高齢化によって足腰に障害があるために、一人用浴槽で足を伸ばして座った姿勢から立ち上がれないで困っている人たちが、独力で浴槽から立ち上がるのを補助する改良型浮き座椅子付浴槽に関するものである。
【背景技術】
【０００２】  実用新案第３１５６７７３号の浮き座椅子付浴槽には、浮板が浮き上がった時に固定されず、入浴者が腰回りに力を入れると沈んで不安定になるという欠点がある。
【考案の開示】
【考案が解決しようとする課題】
【０００３】１．浮板の浮力を利用して、入浴者が立ち上がりやすい高さまで腰を押し上げる。
２．浮板の昇降状態を安定させる。
３．浮板の過度の浮き上がりを防止する。
４．浮き上がった浮板を固定して、入浴者の立ち上がり動作を安定させる。
【課題を解決するための手段】
【０００４】１．浮板は天然材でも化学合成品でもよいが、入浴者の下半身を押し上げる浮力のあるも    のを使用する。
２．浴槽の側壁に密着させて、浮板を誘導する昇降支柱を設置する。
３．浮板の左右の縁に、昇降支柱と組み合わせるための切り込みを入れる。
４．浮板の過度の浮き上がりを防ぐために、肘掛棚兼用のストッパーを設置する。
５．浮き上がった浮板を固定するために、浮板の昇降支柱の頂点と肘掛棚の間に浮板の厚    さに相当する隙間をあけて浮板が移動できるようにし、浴槽後方の壁にも浮板を支え    る奥行約３０ミリメートルの棚受型の段差をつける。
６．浮き上がった浮板を後方へ移動させると浮板の切り込み部分が支柱から外れ、支柱の    頂点と後方壁の段差と肘掛棚に挟まれて浮板を固定する浴槽の形にする。
【考案の効果】
【０００５】１．座板として使用する浮板は、浴槽に設置した昇降用支柱に沿って上下するので安定し    ている。
２．入浴者が浮板に座ると、浮板は昇降支柱に沿って安定して下降するので、安心して浴    槽の底まで腰を下ろすことができる結果、入浴時の不安がなく肩までゆっくりと湯に    浸かることができる。
３．肘掛棚兼用のストッパーが、浮板の過度の浮き上がりを防いでくれる。
４．浮き上がった浮板を約３０ミリメートル後方へ押すと、昇降支柱の頂点と肘掛棚と後    方壁につけた棚受型段差の三方から浮板を固定するので、腰に力を入れても浮板が沈    まず安定している。
【考案を実施するための最良の形態】
【０００６】１．座板として使用する浮板は、幅約５００ミリメートル、奥行約４００ミリメートル、    厚さ約４０ミリメートルの大きさで、化学合成品でも天然素材でもよい。
２．浮板の左右の縁に、昇降支柱と組み合わせるための切り込みを入れておく。
３．浴槽の幅は前半部分よりも後半部分を左右に各約４０ミリメートル広くし、入浴者が    浴槽の中に座った時に肘をおける高さに相当する底から約３００ミリメートルの位置    に、底に平行して横に長く、かつ後半部分の側壁に沿って背後の壁に達する長さで、    幅は後半部分の側壁を広げた部分に相当する約４０ミリメートル、厚さ約１０ミリメ    ートルの肘掛棚を左右に造って、浮板の過度の浮き上がりを防止するストッパーを兼    ねる。
４．浮板の昇降状態を安定させて誘導する浮板の昇降支柱として、入浴者の背中に当たる    後方壁から約２００ミリメートル離れた位置に側壁に密着し、かつ凸型に突き出すよ    うな形状の太さが一辺約３０ミリメートル、底からの高さ約２６０ミリメートルの支    柱を立ち上げる。
５．浮板の昇降支柱の頂点と肘掛棚との間を浮板が移動できるように約４０ミリメートル    の隙間をあけ、入浴者の背中が当たる後方の壁にも奥行約３０ミリメートルの棚受状    の段差を支柱の頂点と同じ高さの位置につけ、昇降支柱に誘導されて浮き上がった浮    板を入浴者が後方へ約３０ミリメートル押し込んで平行移動させると、浮板の切り込    み部分が支柱から外れ、支柱の頂点と後方壁の段差と肘掛棚の三方から挟まれて固定    されるようにする。浮板の固定状態の解除は、押し込んだ浮板を元の位置に引き出せ    ばよい。
【実施例】
【０００７】    以下の図面に従って説明する。
【図面の簡単な説明】
【０００８】
【図１】  本考案の側壁断面図で、浮板がストッパー兼用の肘掛棚まで浮き上がり、肘掛と支柱頂点の隙間および後方壁の段差に押し込まれて固定されている状態を示しており、斜線は浮板を示し、入浴者は省略してある。
【図２】  本考案の浮板が底に沈んでいる状態を示す側壁部分断面図で、入浴者は省略してある。
【図３】  本考案の浮板を装着する前の平面構造図で、肘掛用の棚、浮板昇降用支柱、後方壁につけた段差の位置関係を示している。
【図４】  本考案に使用する浮板の平面図で、昇降支柱に組み合わせる切り込みを位置を示している。
【図５】  浴槽全体の形状を示す立体図で、浮板は省略してある。
【符号の説明】
【０００９】１．座板用浮板
２．浮板の切り込み部分
３．浴槽の幅を広げた側壁
４．幅を広げた側壁に沿って設置する肘掛棚兼ストッパー
５．浮板昇降支柱
６．浴槽後方壁の棚受状段差
【図１】
0003161059.tif 000003
【図２】
0003161059.tif 000004
【図３】
0003161059.tif 000005
【図４】
0003161059.tif 000006
【図５】
0003161059.tif 000007
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
座板として使用する浮板の浮力を利用して入浴者の腰を持ち上げ、浮き上がった浮板を沈まないように固定して、足腰に障害のある入浴者でも立ち上がり易くした改良型浮き座椅子付浴槽で、浮板は幅約５００ミリメートル、奥行約４００ミリメートル、厚さ約４０ミリメートルの化学合成品または天然材でもよく、浮板の左右の縁に昇降支柱と組み合わせるための切り込みを入れ、浴槽の幅を前半部分よりも後半部分を左右各約４０ミリメートル広くし、入浴者が浴槽の中に座った時に肘をおける高さに相当する底から約３００ミリメートルの位置に、底に平行して横に長く、かつ後半部分の側壁に沿って後方壁に達する長さで、幅は後半部分の側壁を広げた部分に相当する約４０ミリメートル、厚さ約１０ミリメートルの肘掛棚を左右に造って浮板の過度の浮き上がりを防ぐストッパー兼用とし、浮板の昇降状態を安定させて誘導する浮板の昇降支柱として、入浴者の背中に当たる背後の壁から約２００ミリメートル離れた位置の側壁に密着し、かつ凸型に突き出すような形状の太さが一辺約３０ミリメートル、底からの高さが約２６０ミリメートルの昇降支柱を立ち上げ、昇降支柱の頂点と肘掛棚との間を浮板が移動できるように約４０ミリメートルの隙間をあけ、入浴者の背中が当たる後方の壁にも奥行約３０ミリメートルの棚受状の段差を昇降支柱の頂点と同じ高さの位置につけ、昇降支柱に誘導されて浮き上がった浮板を入浴者が後方へ約３０ミリメートル押し込んで平行移動させると、浮板の切り込み部分が昇降支柱から外れ、昇降支柱の頂点と後方壁の段差と肘掛棚の三方から挟まれて固定され、入浴者が立ち上がろうとして腰回りに力を入れても浮板は沈まず、入浴者が座って浮板を前に引き出すと浮板の固定状態が解除されて昇降支柱に沿って下降し、また浮板が浮き上がって立つ時は浮板を固定できるので、足腰に障害のある入浴者でも安心して使用できる改良型浮き座椅子付浴槽。
【手続補正２】
【補正対象書類名】明細書
【補正対象項目名】全文
【補正方法】変更
【補正の内容】
【考案の詳細な説明】
【技術分野】
【０００１】  怪我や高齢化によって足腰に障害があるために、一人用浴槽で足を伸ばして座った姿勢から立ち上がれないで困っている人たちが、独力で浴槽から立ち上がるのを補助する改良型浮き座椅子付浴槽に関するものである。
【背景技術】
【０００２】  実用新案第３１５６７７３号の浮き座椅子付浴槽には、浮板が浮き上がった時に固定されず、入浴者が腰回りに力を入れると沈んで不安定になるという欠点がある。
【考案の開示】
【考案が解決しようとする課題】
【０００３】１．浮板の浮力を利用して、入浴者が立ち上がりやすい高さまで腰を押し上げる。
２．浮板の昇降状態を安定させる。
３．浮板の過度の浮き上がりを防止する。
４．浮き上がった浮板を固定して、入浴者の立ち上がり動作を安定させる。
【課題を解決するための手段】
【０００４】１．浮板は天然材でも化学合成品でもよいが、入浴者の下半身を押し上げる浮力のあるも    のを使用する。
２．浴槽の側壁に密着させて、浮板を誘導する昇降支柱を設置する。
３．浮板の左右の縁に、昇降支柱と組み合わせるための切り込みを入れる。
４．浮板の過度の浮き上がりを防ぐために、肘掛棚兼用のストッパーを設置する。
５．浮き上がった浮板を固定するために、浮板の昇降支柱の頂点と肘掛棚の間に浮板の厚    さに相当する隙間をあけて浮板が移動できるようにし、浴槽後方の壁にも浮板を支え    る奥行約３０ミリメートルの棚受型の段差をつける。
６．浮き上がった浮板を後方へ移動させると浮板の切り込み部分が昇降支柱から外れ、昇    降支柱の頂点と後方壁の段差と肘掛棚に挟まれて浮板を固定する浴槽の形にする。
【考案の効果】
【０００５】１．座板として使用する浮板は、浴槽に設置した昇降支柱に沿って上下するので安定して    いる。
２．入浴者が浮板に座ると、浮板は昇降支柱に沿って安定して下降するので、安心して浴    槽の底まで腰を下ろすことができる結果、入浴時の不安がなく肩までゆっくりと湯に    浸かることができる。
３．肘掛棚兼用のストッパーが、浮板の過度の浮き上がりを防いでくれる。
４．浮き上がった浮板を約３０ミリメートル後方へ押すと、昇降支柱の頂点と肘掛棚と後    方壁につけた棚受型段差の三方から浮板を固定するので、腰に力を入れても浮板が沈    まず安定している。
【考案を実施するための最良の形態】
【０００６】１．座板として使用する浮板は、幅約５００ミリメートル、奥行約４００ミリメートル、    厚さ約４０ミリメートルの大きさで、化学合成品でも天然素材でもよい。
２．浮板の左右の縁に、昇降支柱と組み合わせるための切り込みを入れておく。
３．浴槽の幅は前半部分よりも後半部分を左右に各約４０ミリメートル広くし、入浴者が    浴槽の中に座った時に肘をおける高さに相当する底から約３００ミリメートルの位置    に、底に平行して横に長く、かつ後半部分の側壁に沿って背後の壁に達する長さで、    幅は後半部分の側壁を広げた部分に相当する約４０ミリメートル、厚さ約１０ミリメ    ートルの肘掛棚を左右に造って、浮板の過度の浮き上がりを防止するストッパーを兼    ねる。
４．浮板の昇降状態を安定させて誘導する浮板の昇降支柱として、入浴者の背中に当たる    後方壁から約２００ミリメートル離れた位置に側壁に密着し、かつ凸型に突き出すよ    うな形状の太さが一辺約３０ミリメートル、底からの高さ約２６０ミリメートルの昇    降支柱を立ち上げる。
５．浮板の昇降支柱の頂点と肘掛棚との間を浮板が移動できるように約４０ミリメートル    の隙間をあけ、入浴者の背中が当たる後方の壁にも奥行約３０ミリメートルの棚受状    の段差を支柱の頂点と同じ高さの位置につけ、昇降支柱に誘導されて浮き上がった浮    板を入浴者が後方へ約３０ミリメートル押し込んで平行移動させると、浮板の切り込    み部分が昇降支柱から外れ、昇降支柱の頂点と後方壁の段差と肘掛棚の三方から挟ま    れて固定されるようにする。浮板の固定状態の解除は、押し込んだ浮板を元の位置に    引き出せばよい。
【実施例】
【０００７】  以下の図面に従って説明する。
【図面の簡単な説明】
【０００８】
【図１】  本考案の側壁断面図で、浮板がストッパー兼用の肘掛棚まで浮き上がり、肘掛と昇降支柱頂点の隙間および後方壁の段差に押し込まれて固定されている状態を示しており、斜線は浮板を示し、入浴者は省略してある。
【図２】  本考案の浮板が底に沈んでいる状態を示す側壁部分断面図で、入浴者は省略してある。
【図３】  本考案の浮板を装着する前の平面構造図で、肘掛用の棚、浮板昇降支柱、後方壁につけた段差の位置関係を示している。
【図４】  本考案に使用する浮板の平面図で、昇降支柱に組み合わせる切り込みを位置を示している。
【図５】  浴槽全体の形状を示す立体図で、浮板は省略してある。
【符号の説明】
【０００９】  １．座板用浮板
２．浮板の切り込み部分
３．浴槽の幅を広げた側壁
４．幅を広げた側壁に沿って設置する肘掛棚兼ストッパー
５．浮板昇降支柱
６．浴槽後方壁の棚受状段差